(57)【要約】【課題】脇下部や肩部回りの生地面積のゆとりを効率的に採寸し、着衣者が腕を上げても、脇下部や袖がその動きに引っ張られて上方に引き上げられる又は吊られることが無く、腕の上下動に際して突っ張り感や不自由さを感じさせない衣類、そして腕の運動性能を高めるとともにデザイン的にも袖の付け根や肩部回りのダブつき感が無くすっきりとした衣類を提供すること。【解決手段】衣類１００の袖１０を水平方向に伸ばした状態におけるその袖口１１の下側部ｗから脇下部ａまでの直線長さが、着衣者Ｕが腕を略真上に上げた状態における着衣者Ｕ自身の手首外側Ｗから脇下部Ａまでの直線長さＬ１以上に採寸されているとともに、衣類１００の袖１０を水平方向に伸ばした状態におけるその脇下部ａからその略真上の肩部ｓまでの直線長さが、腕を水平方向に伸ばした状態における着衣者Ｕ自身の脇下部Ａからその腕を略真上に上げた後の着衣者Ｕ自身の肩部Ｓ２までの直線長さＬ２以上に形成されている。【選択図】　図１
2004036013.tif 000002
【特許請求の範囲】
【請求項１】
着衣者が腕を下げたとき袖口が着衣者の手首近辺に位置するように袖丈が採寸された衣類において、
この衣類の袖を水平方向に伸ばした状態におけるその袖口の下側部から脇下部までの直線長さが、着衣者が腕を略真上に上げた状態における着衣者自身の手首外側から脇下部までの直線長さ以上に形成されているとともに、
この衣類の袖を水平方向に伸ばした状態におけるその脇下部からその略真上の肩部までの直線長さが、腕を水平方向に伸ばした状態における着衣者自身の脇下部からその腕を略真上に上げた後の着衣者自身の肩部までの直線長さ以上に形成されていることを特徴とする衣類。
【請求項２】
着衣者が腕を下げたとき袖口が着衣者の手首近辺に位置するように袖丈が採寸された衣類において、
この衣類の袖を水平方向に伸ばした状態におけるその袖口の下側部から脇下部までの直線長さが、着衣者が腕を略真上に上げた状態における着衣者自身の手首外側から脇下部までの直線長さと略等しく形成されているとともに、
この衣類の袖を水平方向に伸ばした状態におけるその脇下部からその略真上の肩部までの直線長さが、腕を水平方向に伸ばした状態における着衣者自身の脇下部からその腕を略真上に上げた後の着衣者自身の肩部までの直線長さと略等しく形成されていることを特徴とする衣類。
【請求項３】
袖は、袖口から襟ぐりまで延出するラグラン袖であることを特徴とする請求項１又は２に記載の衣類。
【請求項４】
袖は、その袖口から襟ぐりまで延出されている上袖部と、
袖ぐり側が略Ｓ字状に形成され前記袖口から袖ぐりまで延出されている下袖部とからなることを特徴とする請求項１〜３の何れか１項に記載の衣類。
【発明の詳細な説明】
【０００１】
【発明の属する技術分野】
本発明は、着衣者と衣類との関係に着目し、適正な袖丈とするパターンメーキングに改良を施した着衣者の腕の運動性能を高める衣類に関するものである。
【０００２】
【従来の技術】
従来から、衣類は、子供用や大人用等のサイズの違いはあるものの、一般に、着衣者が腕を下げたとき袖口が着衣者の手首近辺に位置するように袖丈が採寸されている。図３に示すように、この従来の衣類９０は、身頃から構成される胴衣２０に対して予め所定長さを有する袖１０が取着され、袖１０は、着衣者Ｕの腕を下方向に垂らした状態の着衣者Ｕの肩部Ｓから手首近辺までの一般的長さに合わせて形成してある。
【０００３】
衣類９０の着衣者Ｕは、その着衣者Ｕ自身の首の付け根Ｎから肩部Ｓを経由して手首近辺までの直線長さを採寸し、この直線長さと着衣者Ｕの首回りあるいは胴囲の長さとを合わせて考慮し、これに合うサイズの衣類９０を選択して使用している。
【０００４】
しかしながら、この衣類９０は、図４に示すように、この衣類９０を着用した着衣者Ｕが腕を水平方向に伸ばしたとき、又は腕を前後左右に動かしたとき、これに伴って、袖１０の縫着ライン１５および胴衣２０の縫着ライン２５がピンと突っ張った状態となり、脇下部ａから袖口１１の下側部ｗ方向に胴衣２０が引っ張られることにより、突っ張り感や不自由感を着衣者Ｕに与えてしまう。また、着衣者Ｕが腕を略真上に上げたときには、この腕を略真上に上げるのに伴って胴衣２０が上方へズレ上がってしまうという問題点があった。
【０００５】
また、例えばウインドブレーカーやブルゾンのように、腰部回りが締めつけられた状態で着用される衣類、特には、手首にも締めつけがあるウインドブレーカーやジャンパーなどにおいては、さらに、胴衣２０や袖口１１が腰部回りや手首に固定されることによる、袖口１１の下側部ｗから脇下部ａまでの直線長さｌ方向に突っ張り感や不自由感を着衣者Ｕに与え、良好な着用感を与えないという問題点があった。
【０００６】
一方で、衣類のズレ上がりを防止した衣類としては、例えば、実登３０１２６３９号に記載されたシャツ類等の袖付き着衣がある。この袖付き着衣は、袖１０の縫着ライン１５と、胴衣２０の縫着ライン２５とを一直線上に形成し、この袖１０と胴衣２０両者の縫着ライン１５，２５を非連続状にする有幅のまち布（図示せず）を脇下部ａに配設したものである。
【０００７】
この袖付き着衣によれば、有幅のまち布が袖１０側の長手方向に沿った縫着ライン１５と胴衣２０側の脇下部ａから腰部に沿った縫着ライン２５とを非連続状に区分けすることから、着衣者Ｕが腕を上方に上げても胴衣２０側の縫着ライン２５が引っ張られるのを有幅のまち布で抑えることができるというものである。
【０００８】
しかしながら、着衣者Ｕが腕を上方に上げたときの肩部Ｓの位置は、着衣者Ｕが腕を下方に下げたときの肩部Ｓの位置に対して、上方へ移動する。すなわち、図５に示すように、着衣者Ｕの腕を略真上に上げた状態の肩部Ｓ２の高さは、その腕を下方に下げた状態の肩部Ｓ１の高さより、その移動による高さ差分Δｈだけ高くなってしまう。それ故にやはりその腕を略真上に上げたときのその胴衣２０の上方へのズレ上がりを防止することができないという問題点があった。そして、脇下部ａのまち布をかなり広めの面積を有するものとしても解決できないし、デザイン的にも脇下部ａにダブつき感を感じさせるものとなってしまう。したがって、この高さ差分Δｈに対応させて衣類の脇下部ａや肩部回りの生地面積に、適切なゆとりを設けることが要求される。
【０００９】
【発明が解決しようとする課題】
本発明は以上のような問題点に鑑みてなされたものであり、本発明が、解決しようとする課題は、脇下部や肩部回りの生地面積のゆとりを効率的に形成し、着衣者が腕を上げても、脇下部や袖がその動きに引っ張られて上方に引き上げられる又は吊られることが無く、腕の上下動に際して突っ張り感や不自由さを感じさせない衣類、そして腕の運動性能を高めるとともにデザイン的にも袖の付け根や肩部回りのダブつき感が無くすっきりとした衣類を提供することである。
【００１０】
【課題を解決するための手段】
上記課題を解決するため、本発明が採った手段は、図面に使用する符号を付して説明すると、「着衣者Ｕが腕を下げたとき袖口１１が着衣者Ｕの手首近辺に位置するように袖丈が採寸された衣類１００において、この衣類１００の袖１０を水平方向に伸ばした状態におけるその袖口１１の下側部ｗから脇下部ａまでの直線長さｌが、着衣者Ｕが腕を略真上に上げた状態における着衣者Ｕ自身の手首外側Ｗから脇下部Ａまでの直線長さＬ１以上に形成されているとともに、この衣類１００の袖１０を水平方向に伸ばした状態におけるその脇下部ａからその略真上の肩部ｓまでの直線長さｈが、腕を水平方向に伸ばした状態における着衣者Ｕ自身の脇下部Ａからその腕を略真上に上げた後の着衣者Ｕ自身の肩部Ｓ２までの直線長さＬ２以上に形成されている」ことを特徴とする。
【００１１】
この手段によれば、先ず袖口１１の下側部ｗから脇下部ａまでの直線長さｌは、上記直線長さＬ１以上に採寸形成される。さらに、衣類１００の脇下部ａからその略真上の肩部ｓまでの直線長さｈは、上記直線長さＬ２以上に採寸形成されている。したがって、この衣類１００は、着衣者Ｕ自身の脇下部Ａに上記直線長さｌ，ｈに対応するゆとりと、脇下部ａから肩部ｓにかけての生地面積のゆとりを生ぜしめ、着衣者Ｕが腕を略真上に上げ、肩部Ｓが高さ差分Δｈ加算された高位置Ｓ２に移動しても、予め移動分のゆとりがあるから胴衣２０が上下方向に引っ張られることを抑えることができる。
【００１２】
また、請求項２記載の発明が採った手段は、「着衣者Ｕが腕を下げたとき袖口１１が着衣者Ｕの手首近辺に位置するように袖丈が採寸された衣類１００において、この衣類１００の袖１０を水平方向に伸ばした状態におけるその袖口１１の下側部ｗから脇下部ａまでの直線長さｌが、着衣者Ｕが腕を略真上に上げた状態における着衣者Ｕ自身の手首外側Ｗから脇下部Ａまでの直線長さＬ１と略等しく形成されているとともに、この衣類１００の袖１０を水平方向に伸ばした状態におけるその脇下部ａからその略真上の肩部ｓまでの直線長さｈが、腕を水平方向に伸ばした状態における着衣者Ｕ自身の脇下部Ａからその腕を略真上に上げた後の着衣者Ｕ自身の肩部Ｓ２までの直線長さＬ２と略等しく形成されている」ことを特徴とする。
【００１３】
この手段によれば、袖口１１の下側部ｗから脇下部ａまでの直線長さｌは、上記直線長さＬ１と略等しく採寸形成され、衣類１００の脇下部ａからその略真上の肩部ｓまでの直線長さｈは、上記直線長さＬ２と略等しく採寸形成されている。したがって、上記同様、この衣類１００は、着衣者Ｕの脇下部Ａに上記直線長さｌ，ｈに対応するゆとりを有し、脇下部ａは、着衣者Ｕの脇下部Ａ近辺に位置することとなり、脇下部ａや肩部ｓ回りの生地面積のゆとりが効率的に形成される。さらには、腕を下げたとき又は水平方向に伸ばしたときにも、脇下部ａ又は肩部ｓ回りの生地面積に必要以上のダブつきが生じることが無く、デザイン的にもすっきりとした外観を呈し、見栄えがよい。なお、この必要以上のダブつきとは、腕の上下動をスムーズに行わしめるに必要なゆとり以上の余計なダブつきをいう。
【００１４】
さらに、請求項３記載の発明が採った手段は、請求項１又は２に記載の衣類において、「袖１０は、袖口１１から襟ぐり２１まで延出するように形成してあるラグラン袖である」ことを特徴とする。
【００１５】
この手段によれば、肩部ｓに縫着ラインが形成されないため、着衣者Ｕの肩部Ｓとの間に縫着ラインという障害物を無くすることができ、腕の動きに対して阻害要因とならず、腕の運動性能が高まる。また、着衣者Ｕが袖１０に腕を通すときの阻害要因ともならないため、腕を通し易く着易い。
【００１６】
さらに、請求項４記載の発明が採った手段は、請求項１〜３の何れか１項に記載の衣類において、「袖１０は、その袖口１１から襟ぐり２１まで延出されている上袖部１３と、袖ぐり１２側が略Ｓ字状に形成され前記袖口１１から袖ぐり１２まで延出されている下袖部１４とからなる」ことを特徴とする。
【００１７】
この手段によれば、袖１０は、上袖部１３と下袖部１４とを備えているので、下袖部１４の長手方向の直線長さや短手方向の直線長さを可変とすることにより、着衣者Ｕの腕の直線長さＬ１や肩部Ｓから脇下部Ａまでの直線長さＬ２に容易且つ確実に対応することができる。このようにすることにより、標準化された衣類１００のサイズの形成のみならず、下袖部１４の形状を異ならせることによって、異なる着衣者Ｕの所定長さＬ１，Ｌ２等の違いに対応させて形成させることができる。すなわち、着衣者Ｕの所定長さＬ１，Ｌ２に合わせて、オーダーメイドが容易且つ確実にできる。また、上袖部１３は、その袖口１１から襟ぐり２１まで延出されているので、着衣者Ｕの首の付け根Ｎから手首近辺までの標準長さに対応させてその形状を標準化することができ、製造コストを低減することができる。さらに、下袖部１４の袖ぐり１２側が略Ｓ字状に形成されていることにより、着衣者Ｕの胴部又は胸部の形状に対応することができる。
【００１８】
【発明の実施の形態】
本発明の実施の形態を実施例に基づき図面を参照して説明する。本発明の衣類１００は、袖１０を有し、着衣者Ｕが腕を下げたとき袖口１１が着衣者Ｕの手首近辺に位置するように袖丈が採寸されるものであればいかなるものであってもよい。例えばレインコート、トレンチコート、オーバーコート、ダッフルコート、七分コート、ウインドブレーカー、パーカ、ブルゾン、羊革ジャケット、ダブルジャケット、シングルジャケット、背広服、ブレザー、シャツ、セーター、カーディガン、ピーコート、カー・コート、ラグランコート、ケープコート、オーバーコート、シェイプコート、ジャケット、スーツ、ポンチョ、サファリジャケット、ブレザー、ボレロ、スペンサージャケット、ジャンプスーツ、ブラウス、トレーナー、肌着、セーターが挙げられる。
【００１９】
袖１０は、水平方向に伸ばした状態におけるその袖口１１の下側部ｗから脇下部ａまでの直線長さｌが、着衣者Ｕが腕を略真上に上げた状態における着衣者Ｕ自身の手首外側Ｗから脇下部Ａまでの直線長さＬ１以上に採寸形成されている。
【００２０】
袖１０を水平方向に伸ばした状態とは、衣類１００を着衣した着衣者Ｕが直立した状態で腕を水平方向に伸ばした状態に対応する状態であり、袖口１１から脇下部ａまでの袖１０方向が、胴衣２０の襟ぐり２１から腰部２２方向、つまり衣類１００の上下方向に対して略垂直に交差するように伸ばした状態をいう。この状態における袖口１１の下側部ｗとは、着衣者Ｕの手首が出る衣類１００の袖１０の先端に当たる袖口１１の下側の当該先端部分をいう。
【００２１】
脇下部ａとは、袖１０を水平方向に伸ばした状態の衣類１００における、袖部、身頃等の名称の如何を問わず胴衣２０の胴部又は胸部から袖１０が分岐する当該分岐点の最下位部をいう。すなわち、衣類１００の脇下部ａは、袖１０の分岐位置を意味し、胴衣２０と袖１０との縫製位置に限定されない。
【００２２】
着衣者Ｕが腕を略真上に上げた状態とは、着衣者Ｕが直立した状態で腕を上方に上げた状態であって、手首が、その腕の付け根である肩部Ｓを通る垂線上に位置する状態をいう。この状態における、着衣者Ｕ自身の手首外側Ｗとは、上記袖口１１の下側部ｗに対応する手首の側面をいう。例えば、親指を着衣者Ｕの頭側に向けて上げた状態においては、手首外側Ｗとは、手首のくるぶし近辺となる。
【００２３】
着衣者Ｕ自身の脇下部Ａとは、着衣者Ｕの腕の付け根であって、脇の真下部分をいう。そして、着衣者Ｕ自身の手首外側Ｗから脇下部Ａまでの直線長さＬ１とは、手首外側Ｗから脇下部Ａまでの直線長さＬ１を採寸した長さをいう。本発明においては、袖口１１の下側部ｗから脇下部ａまでの直線長さｌは、上記直線長さＬ１以上に採寸されていることとしている。
【００２４】
さらに、この衣類１００の袖１０を水平方向に伸ばした状態におけるその脇下部ａからその略真上の肩部ｓまでの直線長さｈが、その着衣者Ｕが腕を水平方向に伸ばした状態における着衣者Ｕ自身の脇下部Ａからその腕を略真上に上げた後の着衣者Ｕ自身の肩部Ｓ２までの直線長さＬ２以上に採寸形成される。
【００２５】
脇下部ａからその略真上とは、上記脇下部ａから肩部ｓに向かう略垂線上の袖１０の付け根又は分岐点の位置をいう。
【００２６】
着衣者Ｕ自身の脇下部Ａからその腕を略真上に上げた後の着衣者Ｕ自身の肩部Ｓ２までの直線長さＬ２とは、腕を水平方向に伸ばした状態の着衣者Ｕ自身の脇下部Ａを基点として、その腕を略真上に上げた後の着衣者Ｕ自身の肩部Ｓ２までの直線長さＬ２をいう。
【００２７】
また、請求項２のごとく、上記直線長さｌは、上記直線長さＬ１と略等しく採寸形成するとともに、上記直線長さｈは、上記直線長さＬ２と略等しく採寸形成すると、デザイン的にも袖１０の付け根や肩部ｓ回りにもダブつきが無くすっきりとできる。
【００２８】
なお、袖１０および胴衣２０は、どのような素材を用いてもよい。運動性能をさらに高めるためには、伸縮性を有する布帛からなるものが用いられてもよい。例えば、激しいスポーツや厳しい安全性が要求される場合には、着衣者Ｕが体を屈めたり、又は体を伸ばしたりしたときに、その動きに対してスムーズに対応することができ、効果的である。
【００２９】
また、袖１０は、胴衣２０に対して、袖口１１の下側部ｗから脇下部ａまでの直線長さｌ方向が、その胴衣２０の襟ぐり２１から腰部２２方向である上下方向に対して略垂直に交差する向きに取りつけて良いことはいうまでも無いし、ウインドブレーカーなどのように、胴部と袖が一体形成されていても良い。
【００３０】
その他、袖１０の裁断方法は、どのような仕立て方法であってもよいが、立体裁断によれば、その着衣者Ｕにいっそう適応させることができる。勿論、立体裁断でなくても、予めＪＩＳ規格等によって定められている基準サイズに裁断しておけば大量生産でき、便利である。
【００３１】
以下、本発明の好ましい実施例について、添付図面を参照して説明する。
（実施例１）
図２に示す衣類１００は、伸縮性が少ないポリエステル素材で形成された作業服である。この衣類１００は、袖１０と、胴衣２０とから構成される。なお、衣類１００が左右対称であるため、左半分のみを図示してある。
【００３２】
袖１０は、袖口１１から襟ぐり２１まで延出するように形成される。いわゆるラグラン袖の形状と同じデザインであるが、２つの構成部から構成されており、上袖部１３と、下袖部１４とから構成される。ただし、袖部１０の形態は、ラグラン袖や、上袖部１３と、下袖部１４とから構成されるものに限定されず、例えば一体的に形成されていても良い。
【００３３】
上袖部１３は、袖口１１から襟ぐり２１に達する長さを有し、襟ぐり２１から袖口１１に向かって幅が狭くなる１枚の布地で形成される。この上袖部１３の一方側には、首開口面が形成されるとともに襟ぐり２１が形成され、他方側には、袖口１１を締めつけるゴム部材が取りつけられる。
【００３４】
下袖部１４は、衣類１００の前後に相当する２枚の生地で形成されており、これら２枚の生地が縫着されて縫着ライン１５が形成される。この下袖部１４の直線長さｌは、所定の直線長さＬ１と略等しく形成される。また、袖ぐり１２側の端部は、略Ｓ字状に形成され、袖口１１側の端部は、略直線状に形成される。この略Ｓ字状とは、着衣者Ｕが腕を水平に伸ばした状態において、立体裁断により得られた形状に基づいて型紙化し、この型紙に基づいて標準化した形状である。
【００３５】
上記上袖部１３および下袖部１４は、袖口１１に切り込みが入るように一体に縫着され、その袖口１１の切り込み相互を係着する係着具１６が取りつけられる。この係着具１６は、例えば、雌雄面を備えた面ファスナーであってもよいし、ボタン、ファスナー、ホックであってもよい。
【００３６】
胴衣２０は、前身頃と後見頃から構成され、それぞれに上記下袖部１４の略Ｓ字状端部に対応する略Ｓ字形状が形成される。
【００３７】
そして、上記袖１０と胴衣２０とが縫着され、袖部１０の脇下部ａからその略真上の肩部ｓまでの直線長さｈが直線長さＬ２と略同じ長さとされる。
【００３８】
この実施例１の衣類１００は、上袖部１３の一部が着衣者Ｕの肩部Ｓから腕上側面を覆うため、ラグラン袖と同様、衣類１００自体の重さや運動による肩部Ｓへの負担が軽減され、良好な運動性を得ることができる。
【００３９】
また、袖１０は、直線長さｌがその着衣者Ｕの所定直線長さＬ１と略等しく形成され、直線長さｈがその着衣者Ｕの所定直線長さＬ２と略等しく形成されている。したがって、衣類１００における縫着ライン１５、２５によって形成される袖口１１の下側部ｗから脇下部ａを経由して腰部２２までの長さは、着用される実際の身体における腕の手首外側Ｗから脇下部Ａを経て腰部２２までの長さを有するため、脇下部ａに余分なダブつきを排除した適正なゆとり分が形成されている。
【００４０】
さらに、下袖部１４は、脇下部ａの下側部から上側部にかけて略Ｓ字状に形成されているので、着用される実際の身体における胸部又は肩部Ｓの厚みに対応することができ、袖ぐり１２が立体的になり、フィット感を与え、運動性能を高めることができる。
【００４１】
以上、実施例に基づいて本発明を説明したが、本発明は上記実施例に何ら限定されるものではなく、本発明の趣旨を逸脱しない範囲内で種々の改良変形が可能である。
【００４２】
【発明の効果】
請求項１記載の衣類によれば、脇下部や肩部回りのゆとりを効率的に形成したことにより、着衣者が腕を上げても、脇下部、袖、さらには裾部がその動きに引っ張られて上方に引き上げられたり吊られることを防止することができるという効果を奏する。さらに、腕の上下動に際して突っ張り感や不自由さを感じさせることを防止するという効果を奏する。また、腕の運動性能を高めることができ、安全性を高めることができるという効果を奏する。
【００４３】
請求項２記載の衣類によれば、上記効果に加え、さらに、デザイン的にもダブつき感が無く、フィット感を与えることができるという効果を奏する。
【００４４】
請求項３記載の衣類によれば、請求項１又は２に記載の衣類の奏する効果に加えて、さらに、袖は、ラグラン袖であるので、肩部に縫着ラインをなくすことができ、肩部に障害物が無く機能性に富み、着衣者が着易いという効果を奏する。
【００４５】
請求項４記載の衣類によれば、請求項１〜３の何れか１項に記載の衣類の奏する効果に加えて、着衣者の個体差に容易且つ確実に対応することができると共に製造コストを低減することができ、さらには着衣者の胴部又は胸部の形状に対応することができるという効果を奏する。
【図面の簡単な説明】
【図１】本発明の実施例１の衣類と、この衣類を着衣した着衣者が腕を水平方向に伸ばした状態および略真上に上げた状態を示す図である。
【図２】上記実施例１の衣類と、下袖部のパターンメーキングとを示す図である。
【図３】従来の衣類の一例を示す正面図である。
【図４】上記従来の衣類の袖と、着衣した着衣者が腕を水平方向に伸ばした状態および略真上に上げた状態を示す図である。
【図５】着衣者の腕を下へ下げた状態と、腕を上方へ上げた状態との肩部の高さの比較を示す図である。
【符号の説明】
１０　　袖
１１　　袖口
１２　　袖ぐり
１３　　上袖部
１４　　下袖部
１５　　袖の縫着ライン
１６　　係着具
２０　　胴衣
２１　　襟ぐり
２２　　腰部
２５　　胴衣の縫着ライン
１００　衣類
ａ　　　衣類の脇下部
Ａ　　　着衣者の脇下部
ｈ　　　衣類の袖を水平方向に伸ばした状態におけるその脇下部から略真上の肩部までの直線長さ
ｌ　　　衣類の袖を水平方向に伸ばした状態におけるその袖口の下側部から脇下部までの直線長さ
Ｌ１　　着衣者が腕を略真上に上げた状態における着衣者自身の手首外側から脇下部までの直線長さ
Ｌ２　　腕を水平方向に伸ばした状態における着衣者自身の脇下部からその腕を略真上に上げた後の着衣者自身の肩部までの直線長さ
Ｎ　　　着衣者の首の付け根
ｓ　　　衣服の肩部
Ｓ　　　着衣者の肩部
Ｕ　　　着衣者
ｗ　　　下側部
Ｗ　　　着衣者の手首外側
【図１】
2004036013.tif 000003
【図２】
2004036013.tif 000004
【図３】
2004036013.tif 000005
【図４】
2004036013.tif 000006
【図５】
2004036013.tif 000007